(57)【特許請求の範囲】
【請求項１】
内層体と該内層体を内側に配置した外層体とを有する二重容器本体に装着可能な二重容器用キャップであって、
減容変形可能な前記内層体からの内容物を注出する注出孔を有し、前記二重容器本体の口部に装着されるキャップ本体と、
前記注出孔を覆う開閉可能な蓋体と、
前記キャップ本体の内側に設けられ、前記内層体内の空気を外部に排出する排出弁と、
前記キャップ本体の内側に設けられ、外部の空気を前記外層体と前記内層体との間の空間に導入する流入弁と
を備え、
前記蓋体を閉じた状態において、該蓋体に設けた蓋体通気手段を通じて前記排出弁による空気の排出を行い、及び、前記流入弁による空気の導入を行うことを特徴とする二重容器用キャップ。
【請求項２】
前記排出弁は、前記キャップ本体の内側において鉛直方向に延びる円筒側面形状の弁壁から内周方向に延び、
前記流入弁は、前記弁壁から外周方向に延びる、請求項１に記載の二重容器用キャップ。
【請求項３】
前記排出弁による空気の排出及び前記流入弁による空気の導入は、前記キャップ本体に設けたキャップ空気孔及び前記蓋体通気手段を通じて行われる、請求項１又は２に記載の二重容器用キャップ。
【請求項４】
前記注出孔と前記キャップ空気孔とは、前記蓋体又は前記キャップ本体の少なくとも一方に設けられる隔壁により、前記キャップ本体と前記蓋体との間の空間において非連通状態とされる、請求項３に記載の二重容器用キャップ。
【請求項５】
前記注出孔と前記キャップ空気孔とは、前記蓋体に設けられ該蓋体を閉じたときに前記注出孔に嵌入する凸部により、前記キャップ本体と前記蓋体との間の空間において非連通状態とされる、請求項３又は４に記載の二重容器用キャップ。
【請求項６】
前記排出弁による空気の排出は、前記二重容器本体の内容物の収容空間と前記排出弁との間に設けられる排出孔を通じて行われ、該排出孔は水平方向に延びる、請求項１乃至５のいずれか一項に記載の二重容器用キャップ。
【発明の詳細な説明】
【技術分野】
【０００１】
本発明は、減容変形可能な内層体とこの内層体を内側に配置した外層体とを備える二重容器に対し、外層体の口部に装着されて内層体に収容した内容物を注出させる二重容器用キャップに関する。
【背景技術】
【０００２】
化粧水などの化粧料や、シャンプーやリンス或いは液体石鹸、また食品調味料などを収用する容器としては、このような内容物を収容すると共に減容変形可能に設けられる内層体と、この内層体を内側に収めると共に容器の外殻を形成する外層体とを備える二重容器が知られている。この二重容器には、外層体と内層体とを最初から積層させて形成するデラミ容器（積層剥離容器）と、外層体と内層体とを個別に形成して組み付けるタイプの容器が存在する。また、デラミ容器は、加熱溶融された積層パリソンを金型で挟み、内部に空気を吹き込んで積層容器を形成するＥＢＭ（Extrusion Blow Molding：押出しブロー成形）によるものと、外側層と内側層とを備えた有底筒状に形成されたプリフォーム（容器素材）から積層容器を形成する二軸延伸ブロー成形によるものがある。このような二重容器においては、通常外層体の口部に、内容物を注出する注出筒を備えるとともに内層体への外気の侵入を防止する逆止弁を設けた二重容器用キャップが装着される。そして、外層体を押圧することで、外層体と内層体との間の空気を介して内層体内を加圧し、これによって逆止弁の弁体を開放させて内容物を注出する。また外層体には、内層体との間に外気を取り込む貫通孔を設けていて、注出後、外層体が元の形状に復元する際は、この貫通孔から外気が取り込まれ、内層体は減容変形したままで外層体のみが復元する。
【０００３】
ところで、上記の二重容器用キャップにおいて内層体への外気の侵入を防止する逆止弁には、例えば特許文献１のような円筒形状の環状壁の径方向内側に、３つのアームを介して連結する平板状の弁体が用いられている。この種の逆止弁では、外層体を押圧することにより外層体と内層体との間の空気が圧縮され、これに伴う圧力上昇により弁体が注出筒の方向に押し上げられて内層体に通じる連通口を開放し、内容物を注出することができる。また、内容物の注出後に外層体が元の形状に復元すると、外層体と内層体との間の空気の圧力が低下し、弁体は圧力差及び３つのアームの弾性力により元の閉鎖位置へと戻る。
【先行技術文献】
【特許文献】
【０００４】
【特許文献１】特開２０１３−１５１３１６号公報
【発明の概要】
【発明が解決しようとする課題】
【０００５】
しかし、上記の構造の逆止弁では、例えば粉状又は粒状の調味料等の内容物を内層体に充填している場合には、開放状態にある弁体が閉塞状態へと戻る際に弁体と隔壁との間に内容物が入り込み、弁体が完全な閉塞状態に戻ることができない。このような場合には、内容物の吐出が終了した後に空気が内層体内に入り込むため、外部が多湿環境である場合には内層体内に湿った空気が残ってしまい、内容物の粉体等が吸湿して固化し易くなるという問題があった。
【０００６】
本発明は、このような問題点を解決することを課題とするものであり、その目的は、蓋体を閉じた状態で内層体内に入った空気を容易に排出させることが可能な二重容器用キャップを提供することである。
【課題を解決するための手段】
【０００７】
本発明は、内層体と該内層体を内側に配置した外層体とを有する二重容器本体に装着可能な二重容器用キャップであって、
減容変形可能な前記内層体からの内容物を注出する注出孔を有し、前記二重容器本体の口部に装着されるキャップ本体と、
前記注出孔を覆う開閉可能な蓋体と、
前記キャップ本体の内側に設けられ、前記内層体内の空気を外部に排出する排出弁と、
前記キャップ本体の内側に設けられ、外部の空気を前記外層体と前記内層体との間の空間に導入する流入弁と
を備え、
前記蓋体を閉じた状態において、該蓋体に設けた蓋体通気手段を通じて前記排出弁による空気の排出を行い、及び、前記流入弁による空気の導入を行うことを特徴とする二重容器用キャップである。
【０００８】
また、前記排出弁は、前記キャップ本体の内側において鉛直方向に延びる円筒側面形状の弁壁から内周方向に延び、
前記流入弁は、前記弁壁から外周方向に延びることが好ましい。
【０００９】
また、前記排出弁による空気の排出及び前記流入弁による空気の導入は、前記キャップ本体に設けたキャップ空気孔及び前記蓋体通気手段を通じて行われることが好ましい。
【００１０】
また、前記注出孔と前記キャップ空気孔とは、前記蓋体又は前記キャップ本体の少なくとも一方に設けられる隔壁により、前記キャップ本体と前記蓋体との間の空間において非連通状態とされることが好ましい。
【００１１】
また、前記注出孔と前記キャップ空気孔とは、前記蓋体に設けられ該蓋体を閉じたときに前記注出孔に嵌入する凸部により、前記キャップ本体と前記蓋体との間の空間において非連通状態とされることが好ましい。
【００１２】
また、前記排出弁による空気の排出は、前記二重容器本体の内容物の収容空間と前記排出弁との間に設けられる排出孔を通じて行われ、該排出孔は水平方向に延びることが好ましい。
【発明の効果】
【００１３】
本発明の二重容器用キャップは、蓋体を閉じた状態で内層体内に入った空気を容易に排出させることが可能となる。
【図面の簡単な説明】
【００１４】
【図１】本発明の一実施形態に係る二重容器用キャップを二重容器に取り付けた状態を示す正面半断面図である。
【図２】本発明の一実施形態に係る二重容器用キャップを二重容器に取り付けて内容物を吐出している状態を示す正面半断面図である。
【図３】本発明の一実施形態に係る二重容器用キャップを二重容器に取り付け、蓋体を閉じて内層体内の空気を排出している状態を示す正面判断面図である。
【発明を実施するための形態】
【００１５】
以下、図面を参照して、本発明をより具体的に説明する。
【００１６】
図１は、本発明の一実施形態である二重容器用キャップ１が、これに適合する二重容器本体２に装着された状態を示す。なお、本明細書、特許請求の範囲、要約書および図面では、後述する蓋体３０が位置する側を上方（図１における上側）とし、底部４ｆが位置する側を下方（図１における下側）とする。二重容器用キャップ１は、キャップ本体１０、弁部２０、及び蓋体３０で構成されている。また、二重容器本体２は、内層体３、及び外層体４で構成されている。
【００１７】
まず、二重容器本体２について説明する。本実施形態では、二重容器本体２は、内層体３の合成樹脂素材と外層体４の合成樹脂素材とを積層して形成されるパリソンに対し、押出しブロー成形を行うことによって積層剥離容器を形作っている。そして、二重容器本体２を構成する内層体３の材料にはエチレン―ビニルアルコール共重合樹脂（ＥＶＯＨ）又はナイロンを用いている。また、外層体４の材料には、低密度ポリエチレン（ＬＤＰＥ）又は高密度ポリエチレン樹脂（ＨＤＰＥ）を用いており、特にＬＤＰＥを用いた場合には高いスクイズ性を付与することができる。しかし、この態様に限定されず、例えば二軸延伸ブロー成形を行うことによって積層剥離容器を形成する場合には、内層体３の材料にはポリプロピレン（ＰＰ）を用い、外層体４の材料にはポリエチレンテレフタレート（ＰＥＴ）を用いてもよい。また、内層体３及び外層体４の材料には、相互に相溶性が低い他の樹脂を用いることができる。更に、二重容器本体２は、積層剥離容器ではなく、外層体４と内層体３とを個別に形成して組み付けるものであってもよい。また、図示は省略するが、内層体３と外層体４との間に、縦方向に延在して内層体３と外層体４とを部分的に接合する、１本或いは複数本の接着帯を設けてもよい。
【００１８】
内層体３は、減容変形可能に形成されるものであって、本実施形態では、積層状態で形成された二重容器本体２に対し、外層体４から剥離させることで得られるものである。内層体３は、その内側に内容物を収容する収容空間Ｓを備えている。
【００１９】
外層体４は、円筒状の口部周壁４ａに、復元自在な可撓性を有する胴部４ｅ、及び胴部４ｅの下端を閉鎖する底部４ｆを連結したものである。口部周壁４ａの外周面には雄ねじ部４ｂを設けている。また、口部周壁４ａには、内層体３との相互間に空気を取り込むための貫通孔４ｃを設けていて、更に、貫通孔４ｃを設けた外周面には、上下方向に雄ねじ部４ｂを切り欠く溝部４ｄを設けている。
【００２０】
次に、二重容器用キャップ１を構成するキャップ本体１０について説明する。キャップ本体１０は、口部周壁４ａを取り囲む外周壁１１を備えていて、外周壁１１の内周面には、口部周壁４ａの雄ねじ部４ｂに対応する雌ねじ部１２が形成されている。また、外周壁１１の上部には、頂壁１９が一体に連結されている。頂壁１９は、内容物を注出する注出孔１４が設けられ円形形状を有する中央頂壁１９ａと、中央頂壁１９ａの外周端から下方に延びる頂壁段部１９ｂと、頂壁段部１９ｂの下端から外周方向に延びる頂壁外周部１９ｃと、頂壁外周部１９ｃの外周端から更に外周壁１１の上端へと下方に延びる外周部段部１９ｅとを備える。本実施形態において注出孔１４は、二重容器本体２を傾けた時に適量の粉状又は粒状の内容物が吐出されるような大きさを有しており、例えば図１に示すように中央頂壁１９ａの中央寄りに複数箇所設けることができる。また、注出孔１４は一箇所にのみ設けられていてもよい。頂壁外周部１９ｃには内層体３からの空気の排出及び内層体３への空気の供給を行うキャップ空気孔１６が設けられている。キャップ空気孔１６は、一箇所のみに設けてもよいし、例えば円周上に等間隔で複数箇所に設けるなどしてもよい。
【００２１】
外周壁１１の上端には、外周方向に向けてヒンジ３８が設けられており、キャップ本体１０に対して後述する蓋体３０を開閉可能に結合している。また、頂壁外周部１９ｃの外周端には係合突起１９ｄが設けられ、蓋体３０を閉じる時に蓋体３０の側壁の内周面に設けられた蓋体突起３７にアンダーカット係合して蓋体３０をキャップ本体１０に対して固定する。なお、外周壁１１の下端は外層体４と気密に当接していて、口部上端２ｂと外周壁１１との間には、貫通孔４ｃに空気を導入するための通気ギャップＧ１が設けられている。
【００２２】
また、キャップ本体１０の内側には弁部２０が設けられている。弁部２０は、内層体３内の空気を外部に排出する排出弁２７及び外部の空気を外層体４と内層体３の間の空間に導入する流入弁２８を有する結合弁２５と、結合弁２５を覆いキャップ本体１０に固定するための隔壁部材２４とを備える。結合弁２５は、上下方向に延び円筒側面形状を有する弁壁２６と、弁壁２６の内周面に結合されて内層体３内の正圧により開放されて空気を排出する排出弁２７と、弁壁２６の外周面に結合されて外層体４と内層体３の間の空間内の負圧により開放されて空気を導入する流入弁２８とを有する。一方、隔壁部材２４は、上下方向に延び円筒側面形状を有する嵌合壁２４ｃと、嵌合壁２４ｃの下端から内周及び外周方向に延びる水平隔壁２４ｂと、水平隔壁２４ｂの内周端から上方に延びる鉛直隔壁２４ａとを有する。そして結合弁２５は、弁壁２６の外周面が嵌合壁２４ｃの内周面に嵌合し、弁壁２６の下端が水平隔壁２４ｂに当接することにより隔壁部材２４に対して固定される。結合弁２５が嵌合固定された隔壁部材２４は、鉛直隔壁２４ａの外周面が頂壁段部１９ｂの内周面に嵌合することによりキャップ本体１０に固定される。なお、キャップ本体１０を二重容器本体２の口部２ａにねじ係合させることにより、鉛直隔壁２４ａの上端が中央頂壁１９ａの下面に押し付けられると共に水平隔壁２４ｂの下面が口部上端２ｂに押し付けられ、弁部２０はキャップ本体１０及び二重容器本体２に対して強固に固定される。
【００２３】
排出弁２７は、弁壁２６の内周面から内周方向且つ上方に向かって同心状に延びる弁であり、排出弁２７の先端が鉛直隔壁２４ａの外周面に当接することにより閉塞状態を維持する。そして、内層体３内部の正圧によって排出弁２７の先端が上方に持ち上げられ、排出弁２７の先端と鉛直隔壁２４ａとの間に隙間が生じることにより排出弁２７は開放状態となり、内層体３内の空気が排出弁２７を通じて排出可能となる。
【００２４】
鉛直隔壁２４ａの排出弁２７より下方には、水平方向に延びる排出孔２１が設けられており、内層体３内の空気は排出孔２１を通って排出弁２７へと導かれる。なお、本実施形態において排出孔２１は水平方向に延びるように構成されているため、胴部４ｅを押下したときに内層体３内から空気と共に内容物が鉛直方向に運ばれてきたとしても、排出孔２１を通って排出弁２７に到達することがない。
【００２５】
排出弁２７の開放状態において弁を通過した空気は、弁壁２６の上端において半径方向に延びる空気溝２９を経由し、更に頂壁外周部１９ｃに設けられたキャップ空気孔１６を通って蓋体３０から外部へと排出される。
【００２６】
一方、流入弁２８は、弁壁２６の外周面から外周方向且つ下方に向かって同心状に延びる弁であり、流入弁２８の先端が外周壁１１の内周面に当接することにより閉塞状態を維持する。そして、外層体４と内層体３の間の空間の内部の負圧によって流入弁２８の先端が下方に押し下げられ、流入弁２８の先端と外周壁１１との間に隙間が生じることにより流入弁２８は開放状態となる。開放状態になると、外部から蓋体３０、キャップ空気孔１６及び空気溝２９を通って導入された空気が流入弁２８を通じて外層体４と内層体３の間の空間内に導入可能となる。
【００２７】
水平隔壁２４ｂにおける流入弁２８の下方には、鉛直方向に延びる流入孔２３が設けられており、キャップ空気孔１６からの空気は流入弁２８及び流入孔２３を通過し、更に通気ギャップＧ１及び溝部４ｄを通って貫通孔４ｃから外層体４と内層体３の間の空間の内部へと導入される。なお、通気ギャップＧ１を通過した空気は、雄ねじ部４ｂと雌ねじ部１２との隙間を経由しても貫通孔４ｃに導かれるので、溝部４ｄは必ずしも必須の構成ではない。
【００２８】
蓋体３０は、図１に示すように、ヒンジ３８を介してキャップ本体１０の外周壁１１の上端に連結されており、ヒンジ３８を折り曲げることによって注出孔１４及びキャップ空気孔１６を覆い隠すことができる。蓋体３０の側壁には蓋体段部３０ａが設けられており、蓋体３０を閉めたときに外周部段部１９ｅが当接する。この際に係合突起１９ｄが蓋体突起３７にアンダーカット係合して蓋体３０はキャップ本体１０に固定される。蓋体３０の側壁の内側には、蓋体段部３０ａから蓋体突起３７にかけてキャップ空気孔１６に対応する位置に蓋体空気溝３６が設けられている。そして、キャップ空気孔１６から排出された空気が蓋体空気溝３６及び後述するキャップ空気溝１８を通じて外部に排出されると共に、外部からキャップ空気溝１８、蓋体空気溝３６及びキャップ空気孔１６を通じて導入された空気が流入弁２８を経由して外層体４と内層体３の間の空間の内部に供給される。
【００２９】
なお、本実施形態において、蓋体３０は、ヒンジ３８を介してキャップ本体１０と一体成形されているが、この態様には限定されない。例えば、蓋体３０がキャップ本体１０とは別体のものとして構成され、両者が更なる連結手段によって連結されるように構成されていてもよい。また、蓋体３０は、ねじやアンダーカットでキャップ本体１０に装着するように構成してもよく、これらの態様は全て蓋体３０がキャップ本体１０に連結されている状態を指すものとする。
【００３０】
外周壁１１の上端において蓋体空気溝３６と対向する位置には、上述のようにキャップ空気溝１８が設けられており、蓋体３０を閉めているときに、蓋体空気溝３６と共にキャップ空気孔１６から排出された空気を外部に導く一方、外部から空気を導きキャップ空気孔１６を経由して流入弁２８に空気を供給する。
【００３１】
蓋体３０の下面には、注出孔１４に対応する位置に筒状の蓋体凸壁３４が設けられており、蓋体３０を閉めたときに注出孔１４の内側に入り込んで注出孔１４をシールする。また、蓋体３０の下面の頂壁段部１９ｂに対応する位置には、円筒側面形状を有する蓋体隔壁３２が設けられ、蓋体３０を閉めたときに頂壁段部１９ｂに当接する。この蓋体凸壁３４及び蓋体隔壁３２により、蓋体３０を閉めたときにキャップ本体１０と蓋体３０との間の空間において注出孔１４とキャップ空気孔１６とを非連通の状態に維持する。これにより、排出弁２７によりキャップ空気孔１６から排出された空気が注出孔１４に向かうことがなく、蓋体空気溝３６及びキャップ空気溝１８を経由して外部に排出することが可能となる。
【００３２】
上記のように構成される二重容器用キャップ１から内容物を吐出するにあたっては、図２に示すように蓋体３０を開き、二重容器本体２を起立姿勢から傾倒姿勢に姿勢変更することにより、粉状又は粒状の内容物は、自重で落下して注出孔１４から吐出される。このとき、外層体４の胴部４ｅを押圧し、外層体４と内層体３との間の空気を介して内層体３を減容変形させることにより内層体３内部が正圧となり、内容物を更に勢いよく注出孔１４から吐出することができる。なお、胴部４ｅを押圧して内層体３を減容変形させた場合には、外層体４は自らの剛性により元の形状に復元するため、外層体４と内層体３との間に負圧が発生する。この負圧により流入弁２８が二重容器本体２の方向に変位して開放状態となるため、外部の空気がキャップ空気孔１６及び空気溝２９を経由して流入弁２８に導かれる。流入弁２８を通過した空気は、更に流入孔２３、通気ギャップＧ１，及び溝部４ｄを経由して、貫通孔４ｃから外層体４と内層体３の間の空間に導入される。
【００３３】
ところで、内容物が注出孔１４から吐出する場合には、吐出された内容物に代わって内層体３内には注出孔１４から空気が導入される。このとき、外部が多湿環境である場合には内層体３内に湿った空気が入り込んでしまうことになる。
【００３４】
内容物の吐出が終了すると、利用者は二重容器本体２を傾倒姿勢から図３の起立姿勢へと戻す。そして、蓋体３０を閉めて図３に矢印で示すように外層体４の胴部４ｅを押圧して内層体３を減容変形させる。これにより、内層体３の内部は正圧となるが、蓋体３０が閉じられているため、内層体３内の空気は注出孔１４からは排出されず、図３に破線矢印で示すように排出孔２１から排出弁２７へと導かれる。内層体３内の正圧により排出弁２７は上方に変位して開放状態となり、排出弁２７の空気は空気溝２９及びキャップ空気孔１６を経由し、更に蓋体空気溝３６及びキャップ空気溝１８を通じて外部に排出される。これにより、内層体３内の空気が適切に外部に排出されるため、内容物の粉体等が吸湿して固化することがない。そして胴部４ｅの押圧を止めると、外層体４の剛性により押圧された胴部４ｅは元の形状に戻るため、排出された空気の体積の分だけ貫通孔４ｃから外層体４と内層体３の間の空間に空気が取り込まれる。
【００３５】
なお、内層体３内の空気が排出される際に、粉状の内容物の一部が空気と共に上方に移動することがある。しかし内層体３の空気は、上方に移動した後に水平方向に延びる排出孔２１を経由して排出弁２７に至るため、比重が大きい内容物は慣性力によりそのまま上方に移動して排出孔２１を通過することができない。従って、内層体３内の空気のみが外部に排出され、内容物が意図せず排出されてしまうことがない。
【００３６】
以上述べたように、本実施形態によれば、内容物の吐出後に二重容器用キャップ１の蓋体３０を閉じた状態で外層体４の胴部４ｅを押圧することにより、内層体３内の空気を蓋体空気溝３６から排出可能となるように構成した。これにより、粉状又は粒状の内容物の収容を想定して内層体３の収容空間Ｓと注出孔１４との間に逆止弁を設けていない場合でも、内容物の吐出時に内層体３内に入り込んだ空気を吐出後に蓋体３０を閉じた状態で容易に排出することができるため、内容物の粉体等が吸湿して固化することがない。
【００３７】
また、本実施形態によれば、内層体３の内部の空気を排出して内層体３の体積を内容物の残量に合わせて小さく維持することができる。これによって、例えば内容物が錠剤である場合に錠剤が内層体３の内部で大きく動くことがないので、当該錠剤の欠け、割れ等を防止することができる。
【００３８】
また、本実施形態によれば、内層体３内の空気を外部に排出する排出弁２７と、内層体３と外層体４との間の空間に外部の空気を導入する流入弁２８とを一体化することにより部品数を削減して、二重容器用キャップ１を低コスト化することができる。
【００３９】
また、本実施形態によれば、排出弁２７による外部への空気の排出、及び流入弁２８による外部からの空気の導入が、共通のキャップ空気孔１６及び蓋体空気溝３６を通じて行われるように構成した。これにより、空気の排出及び導入を簡単な構成により行うことができる。
【００４０】
また、本実施形態によれば、蓋体３０を閉じたとき、蓋体３０の下面に設けた蓋体隔壁３２及び蓋体凸壁３４により、キャップ本体１０と蓋体３０との間の空間において注出孔１４とキャップ空気孔１６とが非連通状態となるように構成した。これにより、キャップ空気孔１６から排出された空気が注出孔１４に回り込んでしまうことがない。
【００４１】
また、本実施形態によれば、収容空間Ｓから外部への排出弁２７による空気の排出は、キャップ本体１０の内側に設けた水平方向に延びる排出孔２１を経由して行われるように構成した。これにより、内容物を排出させずに空気のみを選択的に内層体３内から外部に排出することができる。
【００４２】
なお、上述したところは、本発明の実施形態を示したにすぎず、特許請求の範囲において、種々の変更を加えることができる。例えば、蓋体３０に蓋体通気手段として設けた蓋体空気溝３６は必ずしも溝形状を有している必要はなく、例えば、蓋体３０を貫通する孔として設けてもよい。
【００４３】
また、本実施形態において、排出弁２７と流入弁２８とを一体化して設けるように構成したが、この態様には限定されない。排出弁２７と流入弁２８とを別部品として設けるようにしてもよく、またキャップ空気孔１６、蓋体空気溝３６及びキャップ空気溝１８を排出用と流入用とで別個に設けるように構成してもよい。また、排出弁２７及び流入弁２８は必ずしも同心状に構成される必要はなく、一方向弁として機能する任意の形状を採用することが可能である。そして、そのような構成は本発明の範囲内であると理解すべきである。
【符号の説明】
【００４４】
１      二重容器用キャップ
２      二重容器本体
２ａ    口部
２ｂ    口部上端
３      内層体
４      外層体
４ａ    口部周壁
４ｂ    雄ねじ部
４ｃ    貫通孔
４ｄ    溝部
４ｅ    胴部
４ｆ    底部
１０    キャップ本体
１１    外周壁
１２    雌ねじ部
１４    注出孔
１６    キャップ空気孔
１８    キャップ空気溝
１９    頂壁
１９ａ  中央頂壁
１９ｂ  頂壁段部
１９ｃ  頂壁外周部
１９ｄ  係合突起
１９ｅ  外周部段部
２０    弁部
２１    排出孔
２３    流入孔
２４    隔壁部材
２４ａ  鉛直隔壁
２４ｂ  水平隔壁
２４ｃ  嵌合壁
２５    結合弁
２６    弁壁
２７    排出弁
２８    流入弁
２９    空気溝
３０    蓋体
３０ａ  蓋体段部
３２    蓋体隔壁（隔壁）
３４    蓋体凸壁（凸部）
３６    蓋体空気溝（蓋体通気手段）
３７    蓋体突起
３８    ヒンジ
Ｇ１    通気ギャップ
Ｓ      収容空間
【図１】
0006552366.tif 000002
【図２】
0006552366.tif 000003
【図３】
0006552366.tif 000004